(57)【要約】【課題】アクアラング呼吸用ガスおよび医療呼吸用ガス送給システムにおいて、単なる機能に加えて、快適な「癒やし」の呼吸環境の形成がユーザニーズとして求められている。【解決手段】１.呼吸用ガス送給システムにおいて、レギュレータまたはおよびバルブ本体に「癒やし」の環境を構築できる様構成したフィルターを設置する。２. 金属チタン微粒子を、不活性雰囲気で、高速でチタン製金網に衝撃的に衝突させて形成させた非化学量論化合物チタン酸化物が表層に被膜として形成させたチタン製金網をフィルターの主要構成部品として用いる。【特許請求の範囲】
【請求項１】
チタンの微細粒子を衝撃衝突させ表面にチタンの酸化物を形成させた金属あるいはおよびセラミックスを主要構成部品とする事を特徴とするフィルター。
【請求項２】
金属がチタンあるいはチタン合金である事を特徴とする請求項１に記載のフィルター。
【請求項３】
アクアラング用のバルブ、レギュレータおよびレギュレータ機能付バルブを構成する少なくとも１ケ所以上のＳＴＡＧＥに組み込む事を特徴とする請求項１および２に記載するフィルター。
【請求項４】
加湿機能を有するアクアラング用レギュレータを構成する少なくとも１ケ所以上のＳＴＡＧＥに組み込む事を特徴とする請求項１および２に記載するフィルター。
【請求項５】
表面層の主要皮膜組成が酸化チタンである事を特徴とするチタンあるいはおよびチタン合金で主要部品が構成されたアクアラング用レギュレータの少なくとも１ケ所以上のＳＴＡＧＥに組み込む事を特徴とする請求項１および２に記載するフィルター。
【請求項６】
表面層の主要皮膜組成が酸化チタンである事を特徴とするチタンあるいはおよびチタン合金で主要部品が構成され、かつ加湿機能を有するアクアラング用レギュレータの少なくとも１ケ所以上のＳＴＡＧＥに組み込む事を特徴とする請求項１および２に記載するフィルター。
【請求項７】
医療用呼吸ガス制御用のバルブ、レギュレータおよびレギュレータ機能付きバルブに組み込む事を特徴とする請求項１および２に記載するフィルター。
【請求項８】
加湿機能を有する医療呼吸ガス制御のバルブおよびまたはレギュレータに組み込む事を特徴とする請求項１および２に記載するフィルター。
【発明の詳細な説明】
【技術分野】
【０００１】
各種呼吸ガス配給用システムに組み込まれるガス流量制御用レギュレータおよびバルブに、送給される呼吸ガスの機能最適化を目的に、付加的に使用されるフィルターに関する。
【背景技術】
【０００２】
スクーバダイビングがレジャーとして広まる中、アクアラング用レギュレータはダイバーの命綱である。地上とは異なる水中環境の中で、どの様な厳しい環境変化にも対しても、安定ししかも楽な呼吸のできる事が保障されなくてはならない。この目的で、各種の開発および改善が加えられ信頼性に足る器材が提供されていると言える。
【０００３】
ダイナミックにダイビングする事から、最近では女性ダイバーが急増した事により、優雅に水中散策を楽しむ志向がうかがわれる。
【０００４】
ダイナミックなダイビングから恰も日常の生活の延長としてとらえたダイビングが今後ますます盛んとなる。このようなダイビングに適合したレギュレータが求められている。
言い換えると、計器で検出される数値制御に、従来の計器では検出されないいわゆる「癒し」の呼吸環境の提供できる機能を備えたレギュレータの開発が求められてきている。
【０００５】
また、医療用呼吸ガス供給系については、「癒し」の環境にさらに院内感染に絡む課題が潜在している。
【特許文献１．】第３３６５８８７
【特許文献２．】米国特許６４５５４６５
【発明の開示】
【発明が解決しようとする課題】
【０００６】
癒し呼吸環境形成要素として注目されるのはマイナスイオンである。マイナスイオンを人為的に供給する方法として（１）触媒作用の活用（２）放電効果がある。アクアラングの様に水中で作用させる場合には、電気的に発生させる方式は適切ではない。
【０００７】
触媒効果を活用して、マイナスイオンを発生させる方法として、光触媒を活用する方法が知られている。光触媒を活性化するには３８０ｎｍ以下の波長を有する紫外線照射が必須である。
【０００８】
しかし、構造的に外部と遮断された環境では、紫外線照射なしで、触媒効果によりマイナスイオンを発生させる触媒が必須とまる。
【０００９】
この様な触媒の適用によりアクアラングおよび医療用呼吸環境における「癒し」環境形成上の課題は解消できる。
【課題を解決するための手段】
【００１０】
紫外線照射のない環境で空気中の水分を分解してマイナスイオンを放出する公知のチタン酸化物系触媒で構成したフィルターをアクアラング用レギュレータおよび医療呼吸ガス用バルブに活用する。
【発明の効果】
【００１１】
本発明のフィルターを装着したアクアラング用レギュレータおよび医療呼吸ガス送給システムにおいて、適度にマイナスイオンを含有する気体が送給できるので、前者では「癒し」効果のある呼吸環境が実現できるとともに、脱臭および抗菌効果が期待できる。後者においては、「癒し」効果のほかに院内感染防止の効果が期待できる。
【発明を実施するための最良の形態】
【００１２】
本発明のフィルターをレギュレータもしくはバルブまたはレギュレータ付バルブに装着した気体送給システムで、本発明の効果は最大に発揮される。
【実施例１】
【００１３】
金属チタン微粒子を、不活性雰囲気で、高速でチタン製金網に衝撃的に衝突させて形成させた非化学量論化合物チタン酸化物が表層に被膜として形成させたチタン製金網をフィルターの主要構成部品として用いた。該チタン金網を複数枚重ねて装着して本発明のフィルターを構成し、アクアラングレギュレータの呼吸用ガス吸入口に装着する。さらに、レギュレータのガス送出口に併せて装着する事もできる。
【００１４】
本実施例では金網４８を重ね併せて構成したフィルターをレギュレータ呼吸用ガス吸入口に装着して実施例に供した。
【００１５】
結果を（表１）に示した。
【００１６】
【表１】
2005211773.tif 000002
【００１７】
ボンベから直接ガスを導入した場合（ドライ状態）ガス導入後１秒経過後にマイナスイオンが急上昇している。レギュレータに加湿装置を装着して湿度を上げた場合には、マイナスイオンの発生が多くなる。
【実施例２】
【００１８】
実施例１に用いたチタン製金網を４８枚装着した空間に、実施例１に記載した皮膜処理を施し表層に同様に非化学量論化合物チタン酸化物を形成したアルミナ製小球を追加装着したフィルターを構成した。触媒効果を有する非化学量論化合物チタン酸化物の比表面積を増大させる事を目的にしている。該フィルターをレギュレータのガス吸入口に装着して生成するマイナスイオンの発生量を測定した。
【００１９】
結果を（表２）に示した。
【００２０】
【表２】
2005211773.tif 000003
【００２１】
発生するマイナスイオン量が実施例１対比で、増加している。比表面積が増加した事による効果が認められる。
【実施例３】
【００２２】
マイナスイオンは有機物を瞬時に分解する作用を有する。そこで、アンモニアの分解について本発明の効果を検証した。結果を（表３）に示した。
【００２３】
2005211773.tif 000004
【００２４】
極短時間でアンモニアが分解される事から、アクアラングの呼吸用ガス配管系に吸着している各種の臭いの成分を瞬時に分解できる事が容易に予想できる。
【産業上の利用可能性】
【００２５】
呼吸用ガスを扱う産業界において、呼吸用ガスを送給するシステムに本発明のフィルターを組み込む事により、より安全なかつ快適な呼吸環境が形成できる。